【事件の表示】
　特願２０１６−１８８８４２号「レンジフード」拒絶査定不服審判事件〔平成３０年　４月　５日出願公開、特開２０１８−　５４１８６号、請求項の数（５）〕について、次のとおり審決する。
【結　論】
　原査定を取り消す。
　本願の発明は、特許すべきものとする。
【理　由】
第１　手続の経緯
　本願は、平成２８年９月２７日の出願であって、平成３０年３月６日付けで拒絶理由通知がされ、平成３０年５月９日に手続補正がされ、平成３０年７月２７日付けで拒絶理由通知（最後）がされ、平成３０年９月２７日に手続補正がされ、平成３０年１２月６日付けで平成３０年９月２７日の手続補正について補正の却下の決定がされ、平成３０年１２月６日付けで拒絶査定（原査定）がされ、これに対し、平成３０年１２月２５日に拒絶査定不服審判の請求がされると同時に手続補正がされ、平成３１年２月１４日付けで拒絶理由通知（以下「当審拒絶理由通知」という。）がされ、平成３１年２月２５日に手続補正がされたものである。
第２　原査定の概要
　原査定（平成３０年１２月６日付け拒絶査定）の概要は次のとおりである。
　本願の平成３０年５月９日の手続補正によって補正された特許請求の範囲の請求項１ないし６に係る発明は、以下の引用文献Ａ及びＢに記載の技術並びに引用文献ＣないしＥに示された周知技術に基いて、その発明の属する技術の分野における通常の知識を有する者（以下、「当業者」という。）が容易に発明をすることができたものであるから、特許法第２９条第２項の規定により特許を受けることができない。
引用文献等一覧
　Ａ．特開平１０−１７４８２７号公報
　Ｂ．特開平９−２６４５７９号公報
　Ｃ．特開２００２−３９５８２号公報（周知技術を示す文献）
　Ｄ．特開２０１３−１３９９４５号公報（周知技術を示す文献）
　Ｅ．特開２００９−８２７５号公報（周知技術を示す文献）
第３　当審拒絶理由の概要
　当審拒絶理由の概要は次のとおりである。
　本願の平成３０年１２月２５日の手続補正によって補正された特許請求の範囲の請求項１及び２に係る発明は、その出願前に日本国内又は外国において、頒布された以下の引用文献１に記載された発明又は電気通信回線を通じて公衆に利用可能となった発明に基いて、その出願前に当業者が容易に発明をすることができたものであるから、特許法第２９条第２項の規定により特許を受けることができない。
引用文献等一覧
　１．特開平９−２６４５７９号公報（拒絶査定時の引用文献Ｂ）
第４　本願発明
　本願請求項１ないし５に係る発明（以下、それぞれ「本願発明１」ないし「本願発明５」という。）は、平成３１年２月２５日の手続補正で補正された特許請求の範囲の請求項１ないし５に記載された事項により特定される発明であり、本願発明１ないし５は以下のとおりの発明である。
「　　【請求項１】
　フードと、フィルタと、ファン用モータでファンを回転する送風機と、前記フィルタに紫外線を照射する紫外線光源と、前記ファン用モータと前記紫外線光源を制御する制御部を備え、
　前記紫外線光源は、前記フィルタの外周面よりも外側の位置に配置され、
　前記制御部は、運転状態では前記紫外線光源を消灯し、運転状態から加熱調理器の加熱調理が終了し、運転停止した後に、前記運転中に前記フィルタに付着した油を分解して除去するために、前記紫外線光源を設定時間点灯すると同時に、前記油分解時に発生した悪臭、オゾンを排出するために、前記ファン用モータを前記設定時間駆動して前記ファンを前記紫外線照射中に回転する構成としたレンジフードにおいて、
　前記フィルタを回転するフィルタ用モータを設け、
　前記制御部は、前記運転停止後に前記フィルタ用モータを所定時間高速駆動して前記フィルタを紫外線照射前に所定時間高速回転し、前記所定時間経過後に前記紫外線光源と前記ファン用モータを制御する構成としたことを特徴とするレンジフード。
　　【請求項２】
　フードと、フィルタと、ファン用モータでファンを回転する送風機と、前記フィルタに紫外線を照射する紫外線光源と、前記ファン用モータと前記紫外線光源を制御する制御部を備え、
　前記紫外線光源は、前記フィルタの外周面よりも外側の位置に配置され、
　前記制御部は、運転状態では前記紫外線光源を消灯し、運転状態から加熱調理器の加熱調理が終了し、運転停止した後に、前記運転中に前記フィルタに付着した油を分解して除去するために、前記紫外線光源を設定時間点灯すると同時に、前記油分解時に発生した悪臭、オゾンを排出するために、前記ファン用モータを前記設定時間駆動して前記ファンを前記紫外線照射中に回転する構成としたレンジフードにおいて、
　前記フィルタを回転するフィルタ用モータを設け、
　前記制御部は、前記設定時間経過後に前記フィルタ用モータを高速駆動して前記フィルタを高速回転する構成としたことを特徴とするレンジフード。
　　【請求項３】
　フードと、フィルタと、ファン用モータでファンを回転する送風機と、前記フィルタに紫外線を照射する紫外線光源と、前記ファン用モータと前記紫外線光源を制御する制御部を備え、
　前記紫外線光源は、前記フィルタの外周面よりも外側の位置に配置され、
　前記制御部は、運転状態では前記紫外線光源を消灯し、運転状態から加熱調理器の加熱調理が終了し、運転停止した後に、前記運転中に前記フィルタに付着した油を分解して除去するために、前記紫外線光源を設定時間点灯すると同時に、前記油分解時に発生した悪臭、オゾンを排出するために、前記ファン用モータを前記設定時間駆動して前記ファンを前記紫外線照射中に回転する構成としたレンジフードにおいて、
　前記フィルタを回転するフィルタ用モータを設け、
　前記制御部は、前記紫外線光源の点灯している間に前記フィルタ用モータを高速駆動して前記フィルタを紫外線照射中に高速回転する構成としたことを特徴とするレンジフード。
　　【請求項４】
　フードと、フィルタと、ファン用モータでファンを回転する送風機と、前記フィルタに紫外線を照射する紫外線光源と、前記ファン用モータと前記紫外線光源を制御する制御部を備え、
　前記紫外線光源は、前記フィルタの外周面よりも外側の位置に配置され、
　前記制御部は、運転状態では前記紫外線光源を消灯し、運転状態から加熱調理器の加熱調理が終了し、運転停止した後に、前記運転中に前記フィルタに付着した油を分解して除去するために、前記紫外線光源を設定時間点灯すると同時に、前記油分解時に発生した悪臭、オゾンを排出するために、前記ファン用モータを前記設定時間駆動して前記ファンを前記紫外線照射中に回転する構成としたレンジフードにおいて、
　前記フィルタを回転するフィルタ用モータを設け、
　前記制御部は、前記紫外線光源の点灯している間に前記フィルタ用モータを低速駆動して前記フィルタを紫外線照射中に低速回転する構成としたことを特徴とするレンジフード。
　　【請求項５】
　請求項１から４のいずれかに記載のレンジフードにおいて、
　前記制御部は、前記設定時間経過して紫外線光源が消灯した後も前記ファン用モータを一定時間駆動して前記ファンを前記紫外線光源が消灯後も一定時間回転する構成としたレンジフード。」
第５　引用文献、引用発明等
１．引用文献１について
　当審の拒絶の理由に引用された引用文献１（原査定の拒絶の理由に引用された引用文献Ｂ）には、図面とともに次の事項が記載されている。
　・「【請求項１】  室内空気を室外に排気するモータとファンを有する送風機を設け、この送風機を支持し、かつ排気口を設けたフード本体の内部にフィルタを設け、前記フード本体内と前記フィルタ表面に触媒を設け、前記触媒を励起、活性化させる励起手段と、前記モータの駆動および停止をする送風機スイッチと、前記モータを制御するモータ駆動手段を設け、設定時間経過を計測する設定時間計測手段を設け、前記励起手段を制御する励起駆動手段を設け、所定時間経過を計測する所定時間計測手段を設け、前記送風機スイッチと、前記モータ駆動手段と、前記設定時間計測手段と、前記励起駆動手段および前記所定時間計測手段により送風機のモータおよび励起手段を駆動させる駆動回路を設けた換気装置。
【請求項２】  所定時間計測手段が計測している一定時間経過以内に送風機スイッチが操作されたかを判断する送風機スイッチ操作判断手段を設け、一定時間経過以内に前記送風機スイッチが操作されたかを判断して、前記送風機スイッチが操作された時点で、一定時間から所定時間を差し引いた残置時間を記憶する残置時間記憶手段を設け、前記送風機スイッチと、モータ駆動手段と、設定時間計測手段と、励起駆動手段と、所定時間計測手段と、前記送風機スイッチ操作判断手段および前記残置時間記憶手段により送風機のモータおよび励起手段を駆動させる駆動回路を設けた請求項１記載の換気装置。
【請求項３】  モータ駆動手段と別に送風機のモータを制御するモータ自動駆動手段を設け、送風機スイッチと、前記モータ駆動手段と、設定時間計測手段と、励起駆動手段と、前記モータ自動駆動手段および所定時間計測手段により送風機のモータおよび励起手段を駆動させる駆動回路を設けた請求項１記載の換気装置。」
　・「【００２１】
【実施例】
（実施例１）図１、図２および図３に示すように、１は換気装置のフード本体であり、下部は開口して吸気口２を形成し、レンジ（図示しない）の上方に位置するよう壁面３に取付けられている。前記フード本体１の内部には、モータ４とファン４ａを有する送風機５を収納しており、レンジより発生した油煙６を前記吸気口２から送風機５によって吸い込み、フード本体１の上面に設けられた排気口７を通じて、室外に排出するように形成されている。さらに、前記フード本体１の吸気口２と前記送風機５を結ぶ通風路には、油煙６中の油滴８を捕捉するフィルタ９を配設している。このフィルタ９は全面に吸気孔１０を有するパンチングメタルなどで形成されている。そして、フード本体１内部のフィルタ９面より吸気側に一定の空間部１１を設け、この空間部１１のフード本体１内面とフィルタ９表面には、付着した調理油を分解、気化させる触媒１２（たとえば酸化触媒、光触媒など）が設けられている。また、前記フード本体１の内部下方、フィルタ９と対向する面には、前記触媒１２を励起、活性化させる励起手段１３が設けられている。この励起手段１３は、近紫外光照射ランプ１４で構成されている。フード本体１には送風機５のモータ４の駆動および停止をさせる送風機スイッチ１５が設けてあり、送風機スイッチ１５の入力の信号を受けて、送風機５のモータ４および励起手段１３の制御を行う制御部１６Ａが設けられている。」
　・「【００２３】上記構成において、調理時には送風機５のモータ４を駆動回転させ、発生した油煙６がフード本体１の吸気口２から吸い込まれ、フィルタ９に吸引され、油煙６中の油滴８はフィルタ９に付着捕捉される。したがって、油滴８が浄化された空気は、フード本体１内奥部やモータ４、送風機５を、ほとんど汚すことなく排気口７を通じて室外に排気される。一方、フィルタ９は油滴８の付着により吸気孔１０が徐々に目詰まりしてくるため、定期的に除去する必要がある。この場合には、励起手段１３の近紫外光照射ランプ１４を点灯させ、放射される励起光をフィルタ９表面に設けられた触媒１２と反応させ、フィルタ９に付着した油滴８を、常温で低炭素分子、二酸化炭素、水蒸気に分解、気化させることができ、フィルタ９を浄化させる。そして、空間部１１のフード本体１内面にも油滴８は付着するが、フィルタ９表面と比較して小量で、フィルタ９に照射された励起光の反射光で、油滴８を充分常温状態で、低炭素分子、二酸化炭素、水蒸気に分解、気化させる換気装置の自己浄化機能を運転制御することとなる。」
　・「【００３６】（実施例３）図６および図７を参照しながら説明する。なお第１実施例と同一箇所には同一番号を付し、その詳細な説明は省略する。
【００３７】図６において、制御部１６Ａにはモータ駆動手段１７と別に送風機５のモータ４を制御するモータ自動駆動手段ａ２４を設け、送風機スイッチ１５と、前記モータ駆動手段１７と、設定時間計測手段１８と、励起駆動手段ａ１９と、前記モータ自動駆動手段ａ２４および所定時間計測手段２０により送風機５のモータ４および励起手段１３を駆動させる駆動回路２１を設けたものである。
【００３８】上記構成により換気装置の制御部分について、モータ自動駆動手段ａ２４は、モータ駆動手段１７が送風機スイッチ１５の運転および停止入力の信号を受けて駆動回路２１を通じてモータ４を駆動および停止させるのとは別に、励起駆動手段ａ１９による励起手段１３の駆動の信号を受けて送風機５の運転を制御する駆動回路２１を通じてモータ４を駆動させ、また、モータ自動駆動手段ａ２４が励起駆動手段ａ１９による励起手段１３の停止の信号を受けて送風機５の運転を制御する駆動回路２１を通じてモータ４を停止させる。
【００３９】図７において、換気装置の動作は、ステップ６７で設定時間になったかを確認し、設定時間になっていなければ、ステップ６８へ進む。ステップ６８で送風機スイッチ１５の運転入力を確認し、入力がなければ、ステップ６７へ戻る。ステップ６８で送風機スイッチ１５の運転入力が確認されると、ステップ６９へ進み、モータ駆動手段１７がステップ６８の送風機スイッチ１５の運転入力の信号を受けて駆動回路２１を通じてモータ４を駆動させ、ステップ７０へ移る。ステップ７０で送風機スイッチ１５の停止入力を確認し、入力がなければ、入力があるまでステップ７０を繰り返す。ステップ７０で送風機スイッチ１５の停止入力が確認されると、ステップ７１へ進み、モータ駆動手段１７はステップ７０の送風機スイッチ１５の停止入力の信号を受けて駆動回路２１を通じてモータ４を停止させ、ステップ６７へ戻る。
【００４０】また、ステップ６７で設定時間になると、ステップ７２へ進み、励起駆動手段ａ１９がステップ６７の設定時間計測手段１８の信号を受けて駆動回路２１を通じて励起手段１３を駆動させ、ステップ７３へ移り、モータ自動駆動手段ａ２４がステップ７２の励起駆動手段ａ１９による励起手段１３の駆動の信号を受けて駆動回路２１を通じてモータ４を駆動させ、ステップ７４へ移り、所定時間計測手段２０が所定時間の計測をスタートさせ、ステップ７５へ移る。ステップ７５でステップ７４において計測をスタートさせた所定時間を確認して、一定時間が経過するまでステップ７５を繰り返す。ステップ７５で一定時間が経過すれば、ステップ７６へ進み、所定時間計測手段２０がステップ７４でスタートさせた所定時間の計測をストップさせて、ステップ７７へ移り、励起駆動手段ａ１９がステップ７６の所定時間計測手段２０の信号を受けて駆動回路２１を通じて励起手段１３を停止させ、ステップ７８へ移り、モータ自動駆動手段ａ２４がステップ７７の励起駆動手段ａ１９による励起手段１３の停止の信号を受けて駆動回路２１を通じてモータ４を停止させ、ステップ６７へ戻る。
【００４１】このように本発明の第３実施例の換気装置によれば、ある設定時間になると、一定時間が経過するまで調理後に付着した調理油を触媒と励起手段により、常温で、分解、気化させ、さらに、分解、気化した成分（低炭素分子、二酸化炭素、水蒸気）を送風機によって室外に排出させる換気装置の自己浄化機能を運転制御することができる。」
　・図７のフローチャートからすると、ステップ６７の判断である設定時間になったかの確認が行われるのは、ステップ６８からのフローであればモータは非駆動であり、ステップ７１からのフローであればモータ停止後であり、ステップ７８からのフローであれば励起手段及びモータの停止後であるから、結局、「励起手段及びモータが停止している状態で設定時間になったかの確認が行われ」るといえる。
　したがって、上記引用文献１には、特に実施例３に係る記載に着目すると、次の発明（以下「引用発明」という。）が記載されていると認められる。
「フード本体と、フィルタと、モータでファンを駆動する送風機と、フード本体内面とフィルタ表面に励起光を放射する近紫外光照射ランプで構成されている励起手段と、前記モータと前記近紫外光照射ランプで構成されている励起手段を制御する制御部を備え、
　前記近紫外光照射ランプで構成されている励起手段は、前記フード本体の内部下方で、フィルタと対向する面に設けられ、
　前記制御部は、励起手段及びモータが停止している状態で設定時間になったかの確認が行われ、設定時間になると、励起手段を駆動させモータを駆動させるとともに所定時間が経過すると励起手段を停止させモータを停止させ、設定時間になっていなければ、送風機スイッチの運転入力が確認されるとモータを駆動させるとともに送風機スイッチの停止入力が確認されるとモータを停止させる構成とし、調理後に付着した調理油を触媒と励起手段により、常温で、分解、気化させ、さらに、分解、気化した成分（低炭素分子、二酸化炭素、水蒸気）を送風機によって室外に排出させる換気装置。」
２．引用文献Ａ及びＣないしＥについて
（１）　原査定の拒絶の理由に引用された引用文献Ａには、図面とともに次の事項が記載されている。
　・「【請求項２】　フードケースの一面に設けられ、前記一面のほぼ半分の面積をもつ入側開口部と、該入側開口部を区画するフードケース中央側の縁部に設けられた回転軸と、該回転軸に中心部が回転可能に固定され、周縁部が前記入側開口部を区画するフードケース周辺側の縁部に当接する、光触媒を担持したガラス繊維製又は光触媒をコーティングした金属製の円盤状フィルタと、前記入側開口部が形成されていない前記一面に設けられ、前記円盤状フィルタに紫外線を照射する紫外線光源とを備え、油煙を前記入側開口部から前記円盤状フィルタを通過させながら、前記紫外線光源からの紫外線で光触媒を活性化させ油分解するフィルタ回転型レンジフード。」
　・「【０００１】
【産業上の利用分野】本発明は、光触媒による油分解機能を利用してセルフクリーニング作用を持たせたレンジフードに関する。
【０００２】
【従来の技術】厨房等には、快適な居住空間を維持するため、調理等の際に発生した煙を外部に排気するレンジフードが設けられている。しかし、従来のレンジフードは、油が付着しやすく、美観を損ねる欠点がある。そこで、フィルタ部に使い捨ての不織布フィルタを取り付け、汚染状況に応じてフィルタを取り替えている。また、油汚れを拭き取りやすくするため、フッ素樹脂コーティングをレンジフードの内面に施すことも知られている。更に最近では、セルフクリーニング機能を持たせたレンジフードも提案されている。このタイプのレンジフードとして、紫外線により酸化分解作用を呈する触媒及び熱により酸化分解作用を呈する触媒の混合触媒をフード内部や吸気側に塗布したものが特開平５−１５７３０５号公報，特開平４−３０６４４０号公報等で提案されている。また、特開平７−２２９６４０号公報には、光触媒を金属製フィルタにコーティングし、前面パネルの内側に取り付けた近紫外線ランプからの照射で励起する光触媒の作用によって油分解させる方式が紹介されている。本発明者等も、掃除の手間がかからないメンテナンスフリーのレンジフードとして、油捕集効率の向上及び光触媒による油分解の促進を狙ってガラス繊維質の不織布にＴｉＯ２を担持させたフィルタを使用することを特願平７−１７６８５８号，特願平８−１９３７９号，特願平８−１６３７９４号等で提案した。
【０００３】
【発明が解決しようとする課題】フィルタ部に取り付けた使い捨ての不織布フィルタを汚染状況に応じて交換する方式では、フィルタの交換に手数が掛り、コスト高になる。フードケース内面にフッ素樹脂コーティングしたレンジフードでは、面倒な付着油の拭取り作業が依然として解消されていない。レンジフード内部には清掃作業の障害となる折曲げ加工部，リベット，ビス等の突起があり、更にファンが取り付けられているため、清掃作業自体が困難である。また、高所にレンジフードが設置されていることから、危険を伴う作業ともなる。セルフクリーニング作用をもつレンジフードのうち、フィルタに加熱触媒をコーティングしたものでは、フィルタを３００℃以上の高温に加熱することが必要になる。そのため、火災や火傷等，安全面での問題がある。しかも、フードケース，ファン，スイッチ類に耐熱性が要求されることから、高価な材料でレンジフードを作製することが要求され、製品コストが上昇する。
【０００４】他方、光触媒をコーティングした金属フィルタを使用し、紫外線照射によって油汚れを分解除去する方法では、フィルタより風上に紫外線光源を配置しているので、紫外線光源に油が付着し易く、紫外線強度が低下し易い。紫外線強度の低下をもたらす油付着は、紫外線光源をＴｉＯ２でコーティングし、或いはＴｉＯ２コーティングした紫外線透過板をランプカバーとして使用すること等により抑制することができるものの、その分だけ特殊な器具が必要とされる。また、フードケースの前部に紫外線光源を配置しているので、漏洩する紫外線が避けられず、たとえ３００ｎｍ以上の波長をもつ紫外線が人体に及ぼす悪影響が少ないといっても、全く悪影響を与えないとは言い切れない。本発明は、このような問題を解消すべく案出されたものであり、レンジフード内部の油が付着しにくい箇所に配置した紫外線光源で回転中のフィルタを紫外線照射することにより、光触媒作用で効率よく油分解しながら、油付着により紫外線光源が汚染されることを防止し、長期間にわたって良好な油分解能を維持するレンジフードを提供することを目的とする。
【０００５】
【課題を解決するための手段】本発明のレンジフードは、その目的を達成するため、フードケースの一面に設けられた入側開口部と、該入側開口部を区画するフードケース内に設けられた回転軸と、該回転軸に回転可能に固定され、周縁部が前記入側開口部を区画するフードケース周辺側の縁部に当接する、触媒を担持した円盤状フィルタと、前記入側開口部が形成されていない前記一面に設けられ、前記触媒を励起・活性化させる励起手段とを備えたことを特徴とする。触媒担持フィルタとしては、光触媒を担持したガラス繊維製又は光触媒をコーティングした金属製の円盤状フィルタが好ましいが、ＳｉＯ２，Ｂ２Ｏ３，Ｎａ２Ｏ，Ａｌ２Ｏ３等の金属酸化物を初めとする加熱触媒も使用可能である。光触媒を使用する場合、入側開口部が形成されていない前記一面に励起手段として紫外線光源を設け、円盤状フィルタに紫外線を照射する。また、加熱触媒を使用する場合には遠赤外線熱源を設け、遠赤外線を照射する。調理時等には、フィルタを回転させると共に、紫外線光源を点灯する。これにより、油煙が入側開口部から円盤状フィルタを通過すると同時に、フィルタに付着した油は紫外線照射で活性化した光触媒により分解される。紫外線光源の背面に反射板を設けるとき、紫外線の照射効率が向上する。
【０００６】
【実施の形態】本発明に従ったレンジフードは、たとえば図１に示すように、フードケース１の一面に開口部２が設けられている。開口部２はフードケース１の一面のほぼ半分の大きさで半円状（図２参照）に形成されており、開口部２を区画するフードケース１中央側の縁部に回転軸３が取り付けられている。開口部２には、必要に応じてバッフル板（図示せず）を取り付けることもできる。バッフル板を配置すると、フィルタ方向の吸込み風速が高くなり、レンジフード１の外側に逃げる油煙が少なくなる。
【０００７】回転軸３には、円盤状フィルタ４の中央部が固定されている。円盤状フィルタ４としては、光触媒を担持したガラス繊維製フィルタ又は光触媒をコーティングした金属製フィルタが使用される。光触媒には、紫外線照射によって励起され、油を酸化分解特性を呈するＴｉＯ２を初めとする種々の金属酸化物がある。ＴｉＯ２を光触媒として使用する場合、アナターゼ型のＴｉＯ２が好ましい。ガラス繊維質フィルタは、ガラス繊維をシリカ系無機質バインダで結合したものであり、これを基材としてＴｉＯ２等の光触媒を担持させる。金属製フィルタの場合、パンチング又はルーバ加工されたアルミニウム，鋼板等に光触媒をスプレー塗装でコーティングしたものが使用される。円盤状フィルタ４の周縁部は、フードケース１に設けられているシュー５に摺動する。
【０００８】開口部２のないフードケース１の一面内側に、紫外線光源６が設けられている。この位置に紫外線光源６を配置するとき、紫外線がフードケースの外部に漏れることがなく、また油煙が紫外線光源６に付着することもなくなる。紫外線光源６としては、波長４００ｎｍ以下の紫外線を放射するランプであれば良く、健康ランプ，ケミカルランプ，ブラックライト，殺菌灯，高圧水銀灯等が使用可能である。図１，図２では、３本の直管状ランプを配列した例を示しているが、本発明はこれに拘束されるものではなく、円盤状フィルタ４のサイズや種類に応じてランプの本数を適宜替えることができる。また、リング状のランプを紫外線光源６に使用することも可能である。なお、図１の例では、フードケース１の側板と円盤状フィルタ４との間に紫外線光源６を設けているが、反対側（図１では円盤状フィルタ４の上部）に又は円盤状フィルタ４の両側に設けることも可能である。
【０００９】紫外線光源６の背面には、反射板７を配置することが好ましい。反射板７としては、表面光沢の高い亜鉛めっき鋼板，アルミめっき鋼板等が使用され、円盤状フィルタ４に対する紫外線照射効率を向上させる。調理時等には、ファン８を駆動させ、円盤状フィルタ４を回転させると共に、紫外線光源６を点灯する。調理器等で発生した油煙は、ファン８によってフードケース１の内部に吸引され、円盤状フィルタ４を通過する際に浮遊油が除去される。油除去されたガスは、ダクト９を経て外気に放出される。
【００１０】油が付着した円盤状フィルタ４は、回転して、紫外線光源６からの紫外線照射領域に至る。そして、紫外線照射で活性化した光触媒の作用により、付着油が酸化分解される。このとき、円盤状フィルタ４は油煙から熱が伝達された直後の高温状態にあるため、光触媒の油分解作用が促進される。また、付着油を酸化分解し円盤状フィルタ４を清浄な状態に維持するため、調理後にファン８を停止した後でも、円盤状フィルタ４の回転及び紫外線光源６の点灯を所定時間継続させることが好ましい。このように付着油を分解しながら円盤状フィルタ４に油煙を通過させるとき、油捕集効率及び油分解効率を高位に安定維持してレンジフードを作動させることが可能となる。
【００１１】
【実施例】密度５０ｇ／ｍ２のガラス繊維製不織布に担持量７０ｇ／ｍ２でＴｉＯ２を担持させたものを無機質バインダで固め、半径３００ｍｍの円盤状フィルタ４とした。レンジフードの開口部２を覆うように円盤状フィルタ４を回転可能に組み込み、開口部２のないフードケース１の一側面に紫外線光源６として２０Ｗのブラックライト３本を取り付けた。また、紫外線光源６の背面に、Ａｌめっき鋼板製の反射板７を取り付けた。調理中、ファン８を駆動させ油煙をフードケース１の内部に吸引すると共に、円盤状フィルタ４を３ｒｐｍで回転させ、紫外線光源６を点灯した。調理後、ファン８を止めるが、円盤状フィルタ４の回転及び紫外線光源６の点灯を１時間継続した。この条件下でレンジフードを３か月間継続使用し、円盤状フィルタ４に対する油付着量の経時変化を測定したところ、３か月経過した時点でもフィルタ４の重量増加が一定量で飽和しており、フィルタ４に付着した油が光触媒作用によって分解されていることが判る。
【００１２】
【発明の効果】以上に説明したように、本発明のレンジフードは、開口部を臨むように円盤状フィルタを回転可能に配置し、調理時等に発生した油煙を捕集すると共に、円盤状フィルタに付着した油を光触媒作用で酸化分解している。そのため、フィルタが常に清浄に維持され、油捕集効率及び付着油分解効率が高位に安定した状態でレンジフードを使用することが可能となる。また、紫外線光源が開口部に臨まない位置に配置されているので、浮遊する油滴が紫外線光源に直接飛来・付着することがなく、紫外線強度の低下も防止される。更には、紫外線が外部に漏洩することもないので、使用者に対する安全面にも優れたレンジフードとなる。」
　したがって、上記引用文献Ａには、次の発明（以下「引用発明Ａ」という。）が記載されていると認められる。
「フードケースと、光触媒を担持した円盤状フィルタと、ファンと、前記円盤状フィルタに紫外線を照射する紫外線光源とを備え、
　前記紫外線光源は、レンジフード内部の油が付着しにくい箇所に配置され、
　調理中は、ファンを駆動させ、円盤状フィルタを回転させると共に、紫外線光源を点灯することにより、油煙が入側開口部から円盤状フィルタを通過すると同時に、フィルタに付着した油は紫外線照射で活性化した光触媒により分解され、フィルタが常に清浄に維持され、油捕集効率及び付着油分解効率が高位に安定した状態でレンジフードを使用することが可能となる構成としたフィルタ回転型レンジフード。」
　また、引用文献Ａの段落【００１１】に「円盤状フィルタ４を３ｒｐｍで回転させ、紫外線光源６を点灯した」と記載され、本願明細書の段落【００３６】には「フィルタ３の低速回転とは８００ｒｐｍ未満である」と記載されていることからすると、引用文献Ａには、レンジフードの「フィルタを紫外線照射中に低速回転する構成」という技術的事項が記載されていると認められる。
（２）　原査定の拒絶の理由に引用された引用文献Ｃの段落【０１０１】の記載からみて、当該引用文献Ｃには、「酸素が紫外線照射を受けることによりオゾンが生成される」という技術的事項が記載されていると認められる。
（３）　原査定の拒絶の理由に引用された引用文献Ｄの段落【００１１】〜段落【００１８】の記載からみて、当該引用文献Ｄには、「フィルタを回転させる構成を有するレンジフードにおいて、前記フィルタに付着した汚染物質を除去する清掃運転を行う前後または清掃運転の最中に、当該フィルタを高速回転させる」という技術的事項が記載されていると認められる。
（４）　また、原査定の拒絶の理由に引用された引用文献Ｅの段落【００１０】〜段落【００３０】には、「フィルタを回転させる構成を有するレンジフードにおいて、前記フィルタに付着した汚染物質を除去する清掃運転を行う前後または清掃運転の最中に、当該フィルタを高速回転させる」という技術的事項が記載されていると認められる。
第６　当審拒絶理由についての判断
１．本願発明１について
（１）　対比
　本願発明１と引用発明とを対比すると、次のことがいえる。
　引用発明の「フード本体」は本願発明１の「フード」に相当し、以下同様に、「モータ」は「ファン用モータ」に、「（ファンを）駆動する」態様は「回転する」態様に、「フード本体内面とフィルタ表面に励起光を放射する」態様は励起光が近紫外光照射ランプによるものであるから「フィルタに紫外線を照射する」態様に、「近紫外光照射ランプで構成されている励起手段」は「紫外線光源」に、「換気装置」は「レンジフード」に、それぞれ相当する。
　また、本願発明１の「紫外線光源は、前記フィルタの外周面よりも外側の位置に配置され」た態様と引用発明の「近紫外光照射ランプで構成されている励起手段は、前記フード本体の内部下方で、フィルタと対向する面に設けられ」た態様とは「紫外線光源は、所定の位置に配置され」た態様の限りにおいて一致している。
　したがって、本願発明１と引用発明との間には、次の一致点、相違点があるといえる。
（一致点）
「フードと、フィルタと、ファン用モータでファンを回転する送風機と、前記フィルタに紫外線を照射する紫外線光源と、前記ファン用モータと前記紫外線光源を制御する制御部を備え、
　前記紫外線光源は、所定の位置に配置される、
レンジフード。」
（相違点）
（相違点１）　紫外線光源が配置される所定の位置に関し、本願発明１では「フィルタの外周面よりも外側の位置」であるのに対し、引用発明では「フード本体の内部下方で、フィルタと対向する面」である点。
（相違点２）　ファン用モータと紫外線光源を制御する制御部の構成に関し、本願発明１では「運転状態では前記紫外線光源を消灯し、運転状態から加熱調理器の加熱調理が終了し、運転停止した後に、前記運転中に前記フィルタに付着した油を分解して除去するために、前記紫外線光源を設定時間点灯すると同時に、前記油分解時に発生した悪臭、オゾンを排出するために、前記ファン用モータを前記設定時間駆動して前記ファンを前記紫外線照射中に回転する」のに対し、引用発明では「励起手段及びモータが停止している状態で設定時間になったかの確認が行われ、設定時間になると、励起手段を駆動させモータを駆動させるとともに所定時間が経過すると励起手段を停止させモータを停止させ、設定時間になっていなければ、送風機スイッチの運転入力が確認されるとモータを駆動させるとともに送風機スイッチの停止入力が確認されるとモータを停止させる構成とし、調理後に付着した調理油を触媒と励起手段により、常温で、分解、気化させ、さらに、分解、気化した成分（低炭素分子、二酸化炭素、水蒸気）を送風機によって室外に排出させる」点。
（相違点３）　フィルタの回転に関し、本願発明１では「前記フィルタを回転するフィルタ用モータを設け、前記制御部は、前記運転停止後に前記フィルタ用モータを所定時間高速駆動して前記フィルタを紫外線照射前に所定時間高速回転し、前記所定時間経過後に前記紫外線光源と前記ファン用モータを制御する構成とした」のに対し、引用発明ではそのような構成について不明である点。
（２）　相違点についての判断
　事案に鑑みて、上記相違点３について先に検討すると、引用文献１にはフィルタを回転させることに関し、記載も示唆もなく、引用発明をして相違点３に係る本願発明１の構成とすることの動機付けがあるとはいえないし、さらに、紫外線照射との関係における相違点３に係る本願発明１の構成は、引用文献ＡないしＥに記載も示唆もされていない。
　したがって、他の相違点について判断するまでもなく、本願発明１は、当業者であっても引用発明に基いて容易に発明できたものとはいえない。
２．本願発明２について
　本願発明２と引用発明とを対比すると、引用文献１にはフィルタを回転させることに関し、記載も示唆もなく、引用発明をしてフィルタを回転させることの動機付けがあるとはいえないし、さらに、少なくともフィルタの回転に関し本願発明２は「前記フィルタを回転するフィルタ用モータを設け、前記制御部は、前記設定時間経過後に前記フィルタ用モータを高速駆動して前記フィルタを高速回転する構成とした」ものであって、紫外線照射との関係における当該構成は、引用文献ＡないしＥに記載も示唆もされていないるから、本願発明１と同様な理由により、当業者であっても、本願発明２は引用発明に基いて容易に発明できたものとはいえない。
３．本願発明３について
　本願発明３と引用発明とを対比すると、引用文献１にはフィルタを回転させることに関し、記載も示唆もなく、引用発明をしてフィルタを回転させることの動機付けがあるとはいえないし、さらに、少なくともフィルタの回転に関し本願発明３は「前記フィルタを回転するフィルタ用モータを設け、前記制御部は、前記紫外線光源の点灯している間に前記フィルタ用モータを高速駆動して前記フィルタを紫外線照射中に高速回転する構成とした」ものであって、紫外線照射との関係における当該構成は、引用文献ＡないしＥに記載も示唆もされていないから、本願発明１と同様な理由により、当業者であっても、本願発明３は引用発明に基いて容易に発明できたものとはいえない。
４．本願発明４について
　本願発明４と引用発明とを対比すると、引用文献１にはフィルタを回転させることに関し、記載も示唆もなく、引用発明をしてフィルタを回転させることの動機付けがあるとはいえないから、少なくともフィルタの回転に関して特定された本願発明４は、当業者であっても、引用発明に基いて容易に発明できたものとはいえない。
５．本願発明５について
　本願発明５は、本願発明１ないし４のいずれかをさらに限定した発明であるから、本願発明１ないし４のいずれかと同じ理由により、当業者であっても、引用発明に基いて容易に発明できたものとはいえない。
第７　原査定についての判断
１．本願発明１について
（１）　対比
　本願発明１と引用発明Ａとを対比すると、次のことがいえる。
　引用発明Ａの「フードケース」は本願発明１の「フード」に相当し、以下同様に、「光触媒を担持した円盤状フィルタ」は「フィルタ」に、「ファン」は「ファン用モータでファンを回転する送風機」に、「フィルタ回転型レンジフード」は「レンジフード」に、それぞれ相当する。
　また、本願発明１の「紫外線光源は、前記フィルタの外周面よりも外側の位置に配置され」た態様と引用発明Ａの「紫外線光源は、レンジフード内部の油が付着しにくい箇所に配置され」た態様とは「紫外線光源は、所定の位置に配置され」た態様の限りにおいて一致している。
　そして、本願発明１の「前記ファン用モータと前記紫外線光源を制御する制御部を備え」、「前記制御部は、運転状態では前記紫外線光源を消灯し、運転状態から加熱調理器の加熱調理が終了し、運転停止した後に、前記運転中に前記フィルタに付着した油を分解して除去するために、前記紫外線光源を設定時間点灯すると同時に、前記油分解時に発生した悪臭、オゾンを排出するために、前記ファン用モータを前記設定時間駆動して前記ファンを前記紫外線照射中に回転する構成とし」、「前記フィルタを回転するフィルタ用モータを設け、前記制御部は、前記運転停止後に前記フィルタ用モータを所定時間高速駆動して前記フィルタを紫外線照射前に所定時間高速回転し、前記所定時間経過後に前記紫外線光源と前記ファン用モータを制御する構成」と引用発明Ａの「調理中は、ファンを駆動させ、円盤状フィルタを回転させると共に、紫外線光源を点灯することにより、油煙が入側開口部から円盤状フィルタを通過すると同時に、フィルタに付着した油は紫外線照射で活性化した光触媒により分解され、フィルタが常に清浄に維持され、油捕集効率及び付着油分解効率が高位に安定した状態でレンジフードを使用することが可能となる」態様とは「ファンと紫外線光源とフィルタとが所定の条件で稼働される」態様の限りにおいて一致している。
　したがって、本願発明１と引用発明Ａとの間には、次の一致点、相違点があるといえる。
（一致点）
「フードと、フィルタと、ファン用モータでファンを回転する送風機と、前記フィルタに紫外線を照射する紫外線光源とを備え、
　前記紫外線光源は、所定の位置に配置され、
　前記ファンと前記紫外線光源と前記フィルタとが所定の条件で稼働されるレンジフード。」
（相違点）
（相違点Ａ）　紫外線光源が配置される所定の位置に関し、本願発明１では「フィルタの外周面よりも外側の位置」であるのに対し、引用発明Ａでは「レンジフード内部の油が付着しにくい箇所」である点。
（相違点Ｂ）　ファンと紫外線光源とフィルタとが所定の条件で稼働される態様に関し、本願発明１では「ファン用モータと前記紫外線光源を制御する制御部を備え」、「前記制御部は、運転状態では前記紫外線光源を消灯し、運転状態から加熱調理器の加熱調理が終了し、運転停止した後に、前記運転中に前記フィルタに付着した油を分解して除去するために、前記紫外線光源を設定時間点灯すると同時に、前記油分解時に発生した悪臭、オゾンを排出するために、前記ファン用モータを前記設定時間駆動して前記ファンを前記紫外線照射中に回転する構成とし」、「前記フィルタを回転するフィルタ用モータを設け、前記制御部は、前記運転停止後に前記フィルタ用モータを所定時間高速駆動して前記フィルタを紫外線照射前に所定時間高速回転し、前記所定時間経過後に前記紫外線光源と前記ファン用モータを制御する構成」であるのに対し、引用発明Ａでは「調理中は、ファンを駆動させ、円盤状フィルタを回転させると共に、紫外線光源を点灯することにより、油煙が入側開口部から円盤状フィルタを通過すると同時に、フィルタに付着した油は紫外線照射で活性化した光触媒により分解され、フィルタが常に清浄に維持され、油捕集効率及び付着油分解効率が高位に安定した状態でレンジフードを使用することが可能となる」点。
（２）　相違点についての判断
　事案に鑑みて、上記相違点Ｂについて先に検討すると、引用発明Ａは「調理中は、ファンを駆動させ、円盤状フィルタを回転させると共に、紫外線光源を点灯する」のであるから、引用発明Ａをして、調理中である「運転状態では前記紫外線光源を消灯（し）」させることには阻害要因があるというべきであるし、さらに、紫外線照射との関係における本願発明１の「運転停止後に前記フィルタ用モータを所定時間高速駆動して前記フィルタを紫外線照射前に所定時間高速回転し、前記所定時間経過後に前記紫外線光源と前記ファン用モータを制御する構成」は、引用文献ＡないしＥに記載も示唆もされていない。
　したがって、他の相違点について判断するまでもなく、本願発明１は、当業者であっても引用発明Ａに基いて容易に発明できたものとはいえない。
２．本願発明２について
　本願発明２と引用発明Ａとを対比すると、ファンと紫外線光源とフィルタとが所定の条件で稼働される態様に関し、本願発明２は「運転状態では前記紫外線光源を消灯（し）」させるものであるし、さらに、紫外線照射との関係における本願発明２の「前記フィルタを回転するフィルタ用モータを設け、前記制御部は、前記設定時間経過後に前記フィルタ用モータを高速駆動して前記フィルタを高速回転する構成」は、引用文献ＡないしＥに記載も示唆もされていないから、本願発明１と同様な理由により、当業者であっても、本願発明２は引用発明Ａに基いて容易に発明できたものとはいえない。
３．本願発明３について
　本願発明３と引用発明Ａとを対比すると、ファンと紫外線光源とフィルタとが所定の条件で稼働される態様に関し、本願発明３は「運転状態では前記紫外線光源を消灯（し）」させるものであるし、さらに、紫外線照射との関係における本願発明３の「前記フィルタを回転するフィルタ用モータを設け、前記制御部は、前記紫外線光源の点灯している間に前記フィルタ用モータを高速駆動して前記フィルタを紫外線照射中に高速回転する構成」は、引用文献ＡないしＥに記載も示唆もされていないから、本願発明１と同様な理由により、当業者であっても、引用発明Ａに基いて容易に発明できたものとはいえない。
４．本願発明４について
　本願発明４と引用発明Ａとを対比すると、ファンと紫外線光源とフィルタとが所定の条件で稼働される態様に関し、本願発明４は「運転状態では前記紫外線光源を消灯（し）」させるものであるから、本願発明１と同様な理由により、当業者であっても、本願発明４は引用発明Ａに基いて容易に発明できたものとはいえない。
５．本願発明５について
　本願発明５は、本願発明１ないし４のいずれかをさらに限定した発明であるから、本願発明１ないし４のいずれかと同じ理由により、当業者であっても、引用発明Ａに基いて容易に発明できたものとはいえない。
第８　むすび
　以上のとおり、当審拒絶理由の理由及び原査定の理由によって、本願を拒絶することはできない。
　他に本願を拒絶すべき理由を発見しない。
　よって、結論のとおり審決する